(57)【要約】本発明に係る装置は、ＤＶＤのような予め定義された記録フォーマットに従って記録キャリアにビデオプログラムを記録する。本装置は、ビデオを受信するための入力ユニット２７を有している。プログラムは、プログラムにアクセスするためのユーザ制御を提供するため、スクリーンへの表示のためにメニューを含んでいる。本装置は、レイアウトに従ってメニューを生成するためのメニューユニット３３、及びレイアウトジェネレータ３１を有している。レイアウトは、メニューにおけるアイテムを定義するための色パラメータを含んでいる。レイアウトデータは、記録キャリアに記憶される。本装置は、記録キャリアに記録が行われるときにメニューを生成するために記録キャリアからのレイアウトデータを検索するためのレイアウト検索ユニット３２を有している。
2007504598.tif 000002
【特許請求の範囲】
【請求項１】
記録キャリアに情報を記録するための装置であって、
リアルタイム情報、特にビデオを受信する入力ユニットと、
予め定義された記録フォーマットに従って、リアルタイム情報とプログラムにアクセスするためのユーザ制御を提供するためにスクリーンへの表示のための少なくとも１つのメニューとを含むプログラムを表すマークを記録する記録手段と、
レイアウトに従ってメニューを生成するメニュー手段と、
メニューにおけるアイテムの色を定義し、前記記録キャリアにレイアウトを記憶し、前記記録キャリアからレイアウトを検索するための色のパラメータを含むレイアウトを生成するレイアウト手段と、
を有することを特徴とする装置。
【請求項２】
前記レイアウト手段は、カラーテーブル、特に予め定義された記録フォーマットに従って記憶されるサブピクチャのカラーパレットであるテーブルから使用されるべき多数のエントリを特定することで色を定義するために構成される、
請求項１記載の装置。
【請求項３】
前記予め定義された記録フォーマットはＤＶＤフォーマットであり、前記レイアウト手段は、プログラムチェイン汎用情報におけるサブピクチャについて定義される１６色のうちの４つのエントリを特定することで色を定義するために構成される、
請求項２記載の装置。
【請求項４】
前記レイアウト手段は、メニューにおける特定のアイテムのための更なる色、特にタイマーの指示のための更なる色を定義するために構成される、
請求項１記載の装置。
【請求項５】
前記レイアウト手段は、メニューアイテムの更なるパラメータ、特にグラフィカルアイテムのビットマップ及び／又は位置情報を定義するために構成される、
請求項１記載の装置。
【請求項６】
前記レイアウト手段は、メニューのバックグランドを提供するためのバックグランドの画像を定義するために構成される、
請求項１記載の装置。
【請求項７】
前記メニュー手段は、当該装置の機能のユーザ制御を提供するためにスクリーンへの表示のための少なくとも１つのデバイスメニューを提供するために構成され、前記デバイスメニューは、前記記録キャリアから検索されたレイアウトに従って生成される、
請求項１記載の装置。
【請求項８】
前記レイアウト手段は、レイアウトの前記定義を制御するためのユーザコマンドを受信するために構成される、
請求項１乃至７のいずれか記載の装置。
【請求項９】
記録キャリアに情報を記録する方法であって、
リアルタイム情報、特にビデオを受信するステップと、
予め定義された記録フォーマットに従って、リアルタイム情報とプログラムにアクセスするためのユーザ制御を提供するためにスクリーンへの表示のための少なくとも１つのメユーとを含むプログラムを表すマークを記録するステップと、
レイアウトに従ってメニューを生成するステップと、
メニューにおけるアイテムの色を定義するための色のパラメータを含むレイアウトを生成するステップと、
前記記録キャリアにレイアウトを記憶し、前記記録キャリアからレイアウトを検索するステップと、
を含むことを特徴とする方法。
【請求項１０】
情報を記録するためのコンピュータプログラムプロダクトであって、前記プログラムは、プロセッサに請求項９記載の方法を実行させるために作用する、
ことを特徴とするコンピュータプログラムプロダクト。
【請求項１１】
予め定義された記録フォーマットに従って、特にビデオであるリアルタイム情報とプログラムにアクセスするためのユーザ制御を提供するためにスクリーンへの表示を提供するための少なくとも１つのメニューとを含むプログラムを表す情報を保持する記録キャリアであって、当該記録キャリアは、メニューを生成するために使用されるべきレイアウトを表す予め記録された情報を含むトラックを有し、前記レイアウトは、メニューにおけるアイテムの色を定義するための色のパラメータを含む、
ことを特徴とする記録キャリア。
【発明の詳細な説明】
【技術分野】
【０００１】
本発明は、情報を記録するための装置に関する。  
本発明は、さらに、情報を記録するための方法に関する。  
本発明は、さらに、情報を記録するためのコンピュータプログラムに関する。  
本発明は、さらに、記録キャリアに関する。  
【背景技術】
【０００２】
記録キャリアに情報を記録するための装置及び方法は、米国特許ＵＳ５，９６３，７０４号から知られており、デジタル形式で圧縮されたビデオデータは、たとえばＭＰＥＧフォーマットといったビデオ符号化規格に従って記録キャリアに記録される。データストリームは、ビデオコンテンツにアクセスするためのメニューのようなビデオ及びナビゲーション情報を含んでいる。メニューを形成するための方法が記載されており、バックグランドの画像及びサブピクチャデータは、再生されるべきビデオの特定部分を選択するため、再生のために設定を変えるためにユーザコントロールを提供するためのボタンのようなアクティブエレメントと結合される。メニューアイテムの色のようなメニューのレイアウト、バックグランド及びハイライト情報は、ＤＶＤ（Digital  Versatile  Disc）と呼ばれる記録フォーマットに実質的に対応する予め定義された記録フォーマットに従って定義される。メニューは、記録キャリアのプロデューサ、特に予め定義されたディスクのエディタにより考え出される。しかし、今日、ビデオ記録システムは、ＤＶＤのような予め定義された記録フォーマットに従って記録キャリアにリアルタイムで情報を記録するため、消費者にとって利用可能である。記録されたビデオプログラムにアクセスするためのメニューは、消費者の記録装置により生成される。しかし、消費者によりメニューを生成する機能は制限されており、異なる装置のタイプについて変わる場合がある。メニューのレイアウトにわたる制御は、厳密であって、異なる装置タイプと存在する。
【発明の開示】
【発明が解決しようとする課題】
【０００３】
本発明の目的は、メニューのレイアウトがよりフレキシブルかつ多様である、メニューを含むリアルタイムの情報からなるプログラムを記録及び再生するシステムを提供することにある。
【課題を解決するための手段】
【０００４】
本発明の第一の態様によれば、記録キャリアに情報を記録するための装置は、リアルタイム情報、特にビデオを受信するための入力ユニット、予め定義された記録フォーマットに従って、リアルタイム情報と、プログラムにアクセスするためのユーザ制御を提供するためにスクリーンでの表示のための少なくとも１つのメニューとを含むプログラムを表すマークを記録するための記録手段、メニューにアイテムの色を定義する色のパラメータを含むレイアウトを生成し、記録キャリアにレイアウトを記憶し、記録キャリアからレイアウトを検索するためのレイアウト手段を有している。
【０００５】
本発明の第二の態様によれば、記録キャリアに情報を記録する方法は、リアルタイム情報、特にビデオを受信するステップ、予め決定された記録フォーマットに従って、リアルタイム情報とプログラムにアクセスするためのユーザ制御を提供するためのスクリーンへの表示のための少なくとも１つのメニューとを含むプログラムを表すマークを記録するステップ、レイアウトに従うメニューを生成するステップ、メニューにおけるアイテムの色を定義するための色のパラメータを含むレイアウトを生成するステップ、記録キャリアにレイアウトを記憶するステップ、及び記録キャリアからレイアウトを検索するステップを有している。
【０００６】
本発明の第三の態様によれば、予め定義された記録フォーマットに従って、特にビデオであるリアルタイム情報及びプログラムにアクセスするためのユーザ制御を提供するためにスクリーンへの表示のための少なくとも１つのメニューを含むプログラムを表す情報を搬送するための記録キャリアは、メニューを生成するために使用されるべきレイアウトを表す予め記録された情報を含むトラックを有しており、レイアウトは、メニューにアイテムの色を定義するための色のパラメータを含んでいる。
【０００７】
これらの手段により、１つの記録キャリアに記録されるプログラムのためのメニューは、単一のレイアウトを使用して作られるという作用を有する。これは、プログラムが異なる記録装置により記録される場合であったとしても、ユーザが同じメニューを見て認識するであろうといった利点を有する。さらに、特定の記録キャリアのための特定のやり方で定義されるレイアウトは、（選択されていない場合）その記録キャリアの全てのメニューについて適用される。記録キャリアに予め記録されたメニューレイアウトを有することで、たとえば所定の番組タイプ（たとえばスポーツ、ソープ又はスペシャルイベント）のための専用メニューをディスクに設けることでユーザのための価値を付加する、記録キャリアを製造する方法が提供される。
【０００８】
また、本発明は、以下の認識に基づいている。本発明者は、既存の家庭用の記録装置で生成されるメニューは、「ファクトリービルトイン」メニューレイアウトにより決定されることが分かっている。本発明によれば、少なくとも幾つかのレイアウトパラメータが記録され、記録キャリアから検索され、これにより、その記録キャリアについて一貫したメニューを作るためのオプションを提供する。なお、メニューのレイアウトは、装置に組み込まれる予め定義されるレイアウト設定に部分的に基づいているか、本発明に従って記録キャリアに記憶かつ検索される可変データに部分的に基づいている。予め定義されたレイアウト設定は標準化される場合があり、装置は、幾つかのレイアウト設定のセットを有する場合さえもある。標準化された記録フォーマットは、記録キャリアで使用される予め定義されたレイアウト設定の特定のセットを示す場合がある。これにより、たとえば、特定の製造業者の記録装置は、その製造業者について定義された基本的な予め定義されたメニューレイアウトを使用することができ、記録キャリアから検索されたレイアウトパラメータは、たとえばその製造業者の異なる世代の装置について異なる色のスキームといった、異なるバリエーションの基本的なレイアウトが可能である。
【０００９】
装置の実施の形態では、レイアウト手段は、カラーテーブル、特に予め定義された記録フォーマットに従って記憶されるサブピクチャのカラーパレットであるテーブルから使用される多数のエントリを指定することで色を定義するために構成される。更なる実施の形態では、予め定義された記録フォーマットはＤＶＤフォーマットであって、レイアウト手段は、プログラムチェインの汎用情報（ＰＧＣ−ＧＩ：ProGram  Chain  General  Information）におけるサブピクチャについて定義される１６色のうちの４つのエントリを指定することで色を定義するために構成される。このことは、カラーテーブルで定義された色が記録されたメニューについて使用され、他の目的についても使用される。したがって、一貫した色の使用が達成される。
【００１０】
装置の実施の形態では、メニュー手段は、装置の機能のユーザ制御を提供するためにスクリーンでの表示のために少なくとも１つのデバイスメニューを提供するために構成され、デバイスメニューは、記録キャリアから検索されるレイアウトに従って生成される。これは、記録キャリアのコンテンツを操作するためにユーザにとって利用可能にされるデバイスメニューは、その記録キャリアに記録されるメニューと同じレイアウトを有するという利点を有する。ユーザは、同じメニューレイアウトが使用されるため、記録キャリアにわたり増加された制御を経験するであろう。
【００１１】
本発明に係る記録装置又は読出装置、記録キャリア、及び方法の更に好適な実施の形態は、請求項で与えられる。  
本発明のこれらの態様及び他の態様は、以下の記載で例示を通して説明される実施の形態を参照して、及び添付図面を参照して更に明らかとされるであろう。異なる図における対応するエレメントは、同じ参照符号を有している。
【発明を実施するための最良の形態】
【００１２】
トラック９及びセントラルホール１０を有するディスク状の記録キャリア１１を示している。トラック９は、情報を表す一連の記録されたマークの位置であり、情報レイヤに実質的に並列なトラックをなす螺旋状の回転のパターンに従って構成されている。記録キャリアは、光ディスクと呼ばれる光学的に読取り可能であって、記録可能なタイプの情報レイヤを有する場合がある。記録可能なディスクの例は、ＣＤ−Ｒ及びＣＤ−ＲＷ、及びＤＶＤ＋ＲＷのような書き込み可能なバージョンのＤＶＤ、並びに、ＢＤ（Blue-ray  Disc）と呼ばれる青色レーザを使用した高密度の書換え可能な光ディスクである。情報は、たとえば相変化材料における結晶性又は非晶質のマークといったトラックに沿った光学的に検出可能なマークを記録することで情報レイヤに表現される。記録可能なタイプの記録キャリアのトラック９は、ブランク記録キャリアの製造中に提供される予め型押しされたトラック構造により示される。トラック構造は、スキャニング中に読出し／書込みヘッドがトラックに追従するのを可能にする、たとえば案内溝（pregroove）１４により構成される。トラック構造は、通常情報ブロックと呼ばれる情報のユニットの位置を示すための、たとえばアドレスといった位置情報を有する。
【００１３】
図１ｂは、記録可能なタイプの記録キャリア１１のラインｂ−ｂに沿って取られた断面であり、透明基板１５に記録レイヤ１６及び保護レイヤ１７が設けられている。保護レイヤ１７は、たとえば、記録レイヤが０．６ｍｍ基板にあり、０．６ｍの更なる基板がその背面に結合されるＤＶＤにおけるように、更なる基板レイヤを有する場合があり、案内溝１４は、基板１５材料のへこみ及び隆起として、又はその周りからそれる材料特性として実現される場合がある。
【００１４】
記録キャリア１１は、ＤＶＤフォーマットのような予め定義された記録フォーマットに従い記録された、ＭＰＥＧ２符号化ビデオ情報のような、デジタル形式で符号化されたビデオを表す情報を搬送するために意図される。ＤＶＤディスクに関する更なる詳細は、引例“ECMA-267:  120mm  DVD-Read-Only-Disc-(1997)”及び対応するＤＶＤビデオ記録仕様で見ることができる。ＢＤ記録フォーマットは、System  Description  Blue-Ray  Disc  Rewritable  Format、特にPart3:  Audio  Visual  Specifications,  version1.0,  June  2002に記載されている。
【００１５】
図２は、たとえばＣＤ−Ｒ又はＣＤ−ＲＷ、若しくはＤＶＤ＋ＲＷ又はＢＤといった、書き込み可能（writable）又は書換え可能（re-writable）なタイプの記録キャリアに情報を書き込むための記録装置を示している。本装置には、記録キャリア上のトラックを走査するための記録手段が設けられており、この手段は、記録キャリア１１を回転するための駆動ユニット２１、ヘッド２２、トラック上の半径方向にヘッド２２を粗く位置合わせする駆動ユニット２１及び制御ユニット２０を含んでいる。ヘッド２２は、記録キャリアの情報レイヤのトラック上の放射スポット２３に焦点合わせされる光学素子を通して導かれる放射ビーム２４を生成するための公知のタイプの光システムを有している。放射ビーム２４は、たとえばレーザダイオードといった放射源により生成される。ヘッドは、（図示しないが）かかるビームの光軸に沿って放射ビーム２４の焦点を動かすためのフォーカスアクチュエータ、及びトラックの中心の放射方向におけるスポット２３を精密に位置合わせするためのトラッキングアクチュエータを更に有している。トラッキングアクチュエータは、光エレメントを半径方向に動かすためのコイルを有しているか、又は、反射エレメントの角度を変えるために代替的に構成される場合がある。情報を書き込むため、放射が制御され、記録層において光学的に検出可能なマークが形成される。マークは、たとえば、薬品、合金又は相変化に記録するときに得られるそれらの周囲とは異なる反射係数をもつ領域の形式、又は光磁気材料に記録するときに得られるそれらの周囲とは異なる磁化の方向をもつ領域の形式といった、光学的に読取り可能な形式である場合がある。読取りのため、情報レイヤにより反射された放射は、読取り信号、トラッキングエラーを含む更なる検出器信号、及びかかるトラッキング及びフォーカスアクチュエータを制御するためのフォーカスエラー信号を生成するためのヘッド２２において、４象現ダイオード（four-quadrant  diode）といった通常のタイプの検出器により検出される。読取り信号は、情報を検索するための復調器、デフォーマッタ及び出力ユニットを含む通常のタイプの読取り処理ユニット３０により処理される。したがって、情報を読み取るための検索手段は、駆動ユニット２１、ヘッド２２、位置合わせユニット２５及び読取り処理ユニット３０を含んでいる。本装置は、たとえば、ビデオ情報をレンダリングするためのディスプレイスクリーンといった、リアルタイム情報をレンダリングするための読取り処理ユニット３０に結合されるレンダリングユニット３６を含む場合がある。
【００１６】
本装置は、ヘッド２２を駆動するために書き込み信号を生成するために入力情報を処理する書き込み処理手段を有しており、この手段は、入力ユニット２７、フォー待った２８及び変調器２９を有している。制御ユニット２０は、情報の記録及び検索を制御し、ユーザから又はホストコンピュータからのコマンドを検索するために構成される場合がある。制御ユニット２０は、たとえばシステムバスといった制御線２６を介して前記入力ユニット２７、フォーマッタ２８及び変調器２９に、読み取り処理ユニット３０及び駆動ユニット２１、及び位置合わせユニット２５に接続される。制御ユニット２０は、以下に記載されるような本発明に係る手順及び機能を実行するためのマイクロプロセッサ、プログラムメモリといった制御回路を有している。また、制御回路２０は、論理回路におけるステートマシーンとして実現される場合もある。
【００１７】
動作において、本装置は、入力ユニット２７を介して受信され、たとえばＤＶＤ記録フォーマットに従って記録されるビデオプログラムといった予め定義された記録フォーマットに従うプログラムとしてフォーマッタ２８で処理されるリアルタイムデータを記録する。選択されたプログラムの受信されたリアルタイムデータは、制御データを生成して、予め定義された記録フォーマットにより規定されるようにデータをフォーマットするためにフォーマッタ２８に通過される。フォーマッタ２８の出力からのフォーマット化されたデータは、ヘッド２２を駆動する変調された信号を生成するため、変調ユニット２９に通過され、このユニットは、たとえばチャネルコーダを有する。さらに、変調ユニット２９は、変調された信号に同期パターンを含むために同期手段を有している。変調ユニット２９の入力に提供されるフォーマット化された情報は、アドレス情報を有し、予め定義された記録フォーマットに従って制御ユニット２０の制御下で記録キャリアの対応するアドレス可能な位置に書き込まれる。なお、テキストの参照は、かかるフォーマットの例としてＤＶＤ＋ＲＷの予め定義された記録フォーマットに対して行われる。しかし、ＢＤのような他の予め定義された記録フォーマットが使用される場合もある。
【００１８】
予め定義された記録フォーマットを使用することで、既存の読取装置は、記録されたプログラムを再生可能である。装置は、記録されたプログラムに含まれるべきメニューを生成するメニューユニット３３を有しており、このメニューは、予め定義された記録フォーマットに準拠している。生成されるメニューの例及び詳細は、図３〜６を参照して以下に記載される。メニューユニットは、たとえばビルトインソフトウェアにより実行される制御ユニット２０の機能として実現される場合がある。メニューのデータ構造は、たとえばＤＶＤビデオ規格といった記録フォーマットから知られている。
【００１９】
装置には、レイアウトジェネレータ３１が設けられており、このジェネレータは、メニューユニット３３での使用のために制御ユニット２０にレイアウトデータを提供する。さらに、本装置は、読取り処理ユニット３−を介して記録キャリアからのレイアウトデータを検索するためのレイアウト検索ユニット３２を有している。レイアウトデータは、ファイルに記憶され、ファイルシステムデータを使用して検索される。代替的にレイアウトデータは、記録キャリアの特定の予め定義された位置に記憶される。制御ユニットは、レイアウトデータがレイアウト検索ユニット３２を介して記録キャリアから利用可能であるかを始めに検出する。レイアウトデータが利用可能である場合、記録キャリアから検索されたレイアウトデータに加えて、制御ユニットは、レイアウトジェネレータ３１からレイアウトデータを受信する。実施の形態では、生成されたメニューのレイアウトは、検索又は生成されたレイアウトデータと組み合わせて、規格により規定されるような基本的なレイアウト仕様に基づいている。
【００２０】
実施の形態では、記録キャリアは、たとえば予め定義された領域に記録されるか、又は案内溝１４のウォブル（がたつき）に符号化される、予め記録された情報としてレイアウトデータを含んでいる。レイアウト検索ユニット３２には、たとえばサーボ信号のような他の読出し信号を介して、トラックで符号化された検索情報のためのトラック復号化ユニットが設けられている。
【００２１】
記録装置の実施の形態は、ＤＶＤビデオレコーダと呼ばれ、ＤＶＤフォーマットに従うビデオデータを記録するために構成されている。記録された情報にアクセスするため、記録モデルは、ＶＣＲから知られるいわゆる「テープモデル」に従う。これは、記録がディスク上で線形にされることを意味する。また、記録は、テープへの記録と同様に（部分的に）上書きすることができる。記録されたプログラムにアクセスするための記録装置の鍵となる特徴の１つは、テーブル・オブ・コンテンツ（ＴＯＣ：Table  Of  Contents）である。ＴＯＣは、ディスクへの全ての記録の外観を提供する。メニューは、ＴＯＣがどのようにユーザに提供されるかを規定するために定義される。
【００２２】
図３は、再生用のコンテンツのテーブルのためのメニューを示している。メニュースクリーン３８で、ユーザは、全ての記録に導くことができ、再生を開始することができる。メニューにおけるアイテムは、ボタンの機能を有する場合があり、すなわちリモートコントロールユニットにより選択され、装置の機能を制御するためにアクチベートされる場合がある。それぞれ記録されたプログラムについて、キーフレーム３９は、たとえばタイトル、時間分及び秒（ｈ：ｍｍ：ｓｓ）での記録時間、及び記録日付といった、サブピクチャ（ＳＰ）４０で一連のメニューアイテムを構成して表示される。より多くのプログラムが記録される場合、メニューは、更なる記録にアクセスするためにアクチベートされる場合がある、前のタイトルアイテム４２及び／又は次のタイトルアイテムを含む場合がある。メニューのバックグランドは、たとえばＭＰＥＧ規格を介して符号化された静止画像といった、画像４１（mpegstill）により構成される。
【００２３】
レイアウトアイテムは、メニューレイアウトの定義でグラフィックカラースキームに従って形成される。ＤＶＤは、サブピクチャのカラーパレットがＰＧＣ汎用情報（section  4.3.2  of  DVD  Video  Specification,  DVD  Specifications  for  Read-Only  Disc  art3,  Video  Specifications;  Version1.0,  August  1996参照）で定義されることを規定している。このパレットは、スタティックであって、１６のエントリから構成されている。サブピクチャは、２ビット／ピクセルを有するビットマップにより表される。サブピクチャストリームでは、１６のエントリが適用可能である動的なインジケーションが存在する。
【００２４】
メニューレイアウトは、サブピクチャのパレットのうちのどのエントリがメニューを適用できるか、及びどのエントリがメニューを生成するときに使用される必要があるかを定義する。したがって、記録キャリアに記録され、記録キャリアから検索されるレイアウトパラメータは、使用されるべき色のパラメータを含んでいる。実施の形態では、メニュー用に使用されるべきバックグランドの画像は、レイアウトパラメータに含まれる。
【００２５】
実施の形態では、レイアウトジェネレータには、色の設定及び／又は背景を選択するためのユーザインタフェースが提供される。この機能により、消費者は、所定のディスクについてメニューのバックグランドとして使用されるべき画像を選択し、（固定されたセットのカラースキーム、又はカラースキームを選択することができる拡張された色設定のいずれかから）選択されたバックグランドに適した色を設定することができる。
【００２６】
実施の形態では、記録の機能、レイアウト生成及びメニューの作成は、たとえばＤＶＤ＋ＲＷドライブといった記録ユニットを有するＰＣ用のコンピュータプログラムで実現される場合がある。ＰＣ編集アプリケーションは、記録キャリアに記録されたメニューレイアウトをなお使用する適切なメニューを作成するか、又は、ユーザ定義されたレイアウトは、ＰＣのリソースを使用して記録キャリアに記録される場合がある。
【００２７】
図４は、記録用のコンテンツのテーブルのためのメニューを示している。メニューは、記録装置自身でのユーザインタフェースとしてのみ利用可能であって、記録されたプログラムに含まれていない。ＤＶＤビデオレコーダに関して、ＴＯＣメニューは、（図３に比較して）より多くの情報を提供する。更なるアイテムは、ディスクポインタ４４をもつディスクバー４３を含んでいる。さらに、ボタンは、タイトル、又はディスク操作メニューを入力するためのボタンのようなテキストデータを入力するための異なるメニューを作動するために提供される場合がある（図５及び図６参照）。さらに、選択されたチャネル番号及びタイマステータスアイテム４６を表示するためのチューナステータスアイテム４５が含まれる場合がある。
【００２８】
図３に示されるようなメニューは、ＤＶＤプレーヤで見ることができ、ＤＶＤメニューとしてディスクに記録されるように作成される。なお、ＤＶＤ記録フォーマットでは、メニューと通常の映画との間に違いが殆どなく、両者は、オーディオ／ビデオ／グラフィックストリームから構成される。ＤＶＤビデオレコーダは、ＴＯＣスクリーンを以下のように作成する。バックグランド及びキーフレームは、ＭＰＥＧスチルとして符号化され、テキストはＤＶＤサブピクチャとして符号化される。ナビゲーションの矢印及び選択されたタイトルの指示は、ＤＶＤボタンとして符号化される。サブピクチャ及びボタンは、ＤＶＤ規格で定義されたグラフィカルなアイテムである。ＤＶＤプレーヤを制御するために、ユーザによりボタンを選択、ハイライト表示、作動することができる。
【００２９】
ＤＶＤビデオレコーダの実施の形態では、図４に示される更なるアイテム（ディスクバー４３、タイマーの指示、チューナアイコン等）は、オンスクリーンディスプレイ（ＯＳＤ）として提供、すなわち、個別に生成され、図３に示されるメニューのトップに表示される。これは、ＴＯＣがどのように作成されたかに関する正確な情報（キーフレームの数及び位置、グラフィックスの色／形状／位置等）を必要とする。たとえば、ディスク又はタイトル操作メニューを入力するための小さな右矢印４７は、慎重に位置合わせされる必要があり、ＯＳＤを介して生成され、上／下矢印は、図３におけるメニューの一部としてサブピクチャとして全て符号化される。
【００３０】
ＤＶＤ＋ＲＷ記録規格では、ＴＯＣメニューは、任意として規定される。仕様は、多数の基本のレイアウトパラメータを規定する。たとえば、仕様は、ＴＯＣの多数のグラフィカルオブジェクトのサイズ、位置、形状及び色を規定する。異なる仕様は、異なる基本レイアウトパラメータを規定する場合がある。レシーバがＴＯＣメニューを書き込む場合、基本のメニューレイアウトが使用されるインジケータを含む必要もある。レコーダが（いわゆるネイティブディスクである）レイアウトインジケータを認識する場合、規定された基本的なレイアウトパレメータに従ってＴＯＣを表示することができる。しかし、インジケータがレコーダに知られていない場合（異質のディスク）、ＴＯＣは（もしあれば）、ＤＶＤ再生装置でのように、すなわち追加なしで再生される必要がある。レコーダの実施の形態は、それ自身所有のレイアウトに従ってメニューを再生する（異質のディスク用の）機能を有する。これは、ＴＯＣ及び他のメニューが公知の基本的なレイアウトに従う、再び作成されたＴＯＣであることを意味している。
【００３１】
ＤＶＤビデオレコーダの実施の形態では、メニューのバックグランドは、以下のように形成される。新たな記録キャリアのためのＴＯＣバックグランドのために使用される基本のＭＰＥＧスチル画像は、フラッシュメモリにある。空のディスクに始めに記録した後、フラッシュからのＭＰＥＧスチルは、ＴＯＣを生成するために使用される。しかし、基本的なＭＰＥＧスチルもまた、たとえば、ＤＶＤ＋ＲＷ規格で定義され、図７に示されるいわゆる「スクラッチエリア」といった、記録キャリアの特定の領域でレイアウトファイルに書き込まれる。新たな記録が既存のディスクに行われるときはいつでも、スクラッチエリアにおけるレイアウトファイルにおけるＭＰＥＧスチルは、新たなＴＯＣページを生成するために使用される。レイアウトファイルが特定のエリアで発見することができない場合、フラッシュメモリからのＭＰＥＧスチルが使用される。したがって、特定のディスクのレイアウトは、そのディスクを使用した第一のレコーダのレイアウトに一貫して基づいている。結果として、レイアウトインジケータを認識する異なるレコーダ間でディスクを容易に交換することができる。
【００３２】
実施の形態では、レイアウトパラメータは、更なるメニューアイテム用の色を含んでいる。たとえば、他の１２色のＤＶＤサブピクチャのパレットを定義することができるか、又は、図４に示されるメニューにおけるディスクバーのタイマーの指示といった特定のメニューアイテムに割り当てることができる。
【００３３】
実施の形態では、レイアウトパラメータは、ビットマップ及び「矢印右」のようなグラフィカルアイテムの位置情報を含んでいる。これにより、メニュー設計における多くの自由度が可能となる。
【００３４】
実施の形態では、レイアウトパラメータは、オンスクリーンディスプレイ（ＯＳＤ）オブジェクト用の特定の情報を含んでいる。ＯＳＤオブジェクトの完全な情報がレイアウトに提供されるので、かかるオブジェクト用の予め定義されたレイアウトが必要とされず、メニューレイアウトの制限されていない拡張が提供される。
【００３５】
記録装置の実施の形態では、ディスク／タイトルの操作メニューのようなデバイスコントロールメニューのメニューバックグランド及び／又は色及び他のレイアウト機能は、レイアウトファイルに基づいている。図５及び図６は、デバイスコントロールメニューの例を示している。なお、これらのメニューは、ディスク上にないが、レコーダにより生成される。
【００３６】
図５は、プログラム特性を入力するメニューを示している。メニューのバックグランド５０で、ＭＰＥＧスチルが示されている。第一のフィールド５１は、プログラムのタイトルを入力するためのものである。第二のフィールド５２では、全タイトルを再生“play  full  title”のような更なる特性又はコマンドが定義される場合がある。第三のフィールド５３は、プログラムの消去機能をアクチベートするためのボタンである。
【００３７】
図６は、ディスクを操作するためのメニューを示している。メニューのバックグランド６０では、ＭＰＥＧスチル（MPEG  still）が示されている。第一のフィールド６１は、ディスクのタイトルを入力するためのものである。第二のフィールド６２は、消去に対する「保護（プロテクション）」のような更なる特性又はコマンドが定義される場合がある。第三のフィールド６３は、ＤＶＤ再生装置用のＤＶＤ規格にディスクが互換性をもつようにするため、ディスクに制御データを記録するための機能を作動するためのボタンである。第四のフィールド６４は、全体のディスク用の消去機能をアクチベートするためのボタンである。
【００３８】
図７は、記録可能なＤＶＤの記録領域の外観図を示している。記録可能な領域７０は、ＤＶＤ＋ＲＷビデオディスクの体積空間における各種データ構造の相対的な位置を概念的に示している。ファイルシステムデータ７１は、他のファイル／ＦＳデータエリア７７における最初のＤＶＤ＋ＲＷビデオデータの前、及び任意に部分的に最後のＤＶＤ＋ＲＷビデオデータの後に位置されている。第二のアンカーポイント７８は、ＵＤＦのアンカーボリューム記述子のポインタのバックアップを含んでおり、体積空間の最後のセクタに記憶されている。ビデオレコーディングマネージャ（ＶＲＭ）スクラッチエリア７２は、１ＭＢの固定サイズをもつ強制的な領域であり、一時的にデータを記憶するためにレコーダにより使用される場合がある。ＶＲＭ情報（ＶＲＭＩ）７３は、強制的であって、ビデオ記録マネージャ情報を含んでいる。どのタイプのレコーダがディスクにＤＶＤビデオメニューを生成したかを識別するための情報を含んでいる。ＶＲＭユーザデータ７４は、１以上のファイルに記憶された任意のデータ構造であって、機能を追加するか、又は幾つかのレコーダでの性能を改善するために記録される場合がある。ＶＲＭユーザデータの所有者は、ＤＶＤビデオメニューを生成したレコーダである。ディスクはあるレコーダから別のレコーダに進み、（たとえば新たな記録が行われた後に）メニューが再生されたとき、オリジナルのＶＲＭユーザデータが消去されるか、又は変更される場合がある。ＤＶＤビデオゾーン７５は、たとえばリアルタイムデータといった、ＤＶＤビデオのようなデータ構造を含んでいる。最後に、ＶＲＭＩバックアップ７６は、エラー回復目的のためにＶＲＭＩのビットトゥルーコピー（bit  true  copy）を含んでいる。
【００３９】
レイアウトデータを含んでいるレイアウトファイルは、たとえばＶＲＭスクラッチエリア７２又はＶＲＭユーザデータエリア７４におけるような、予め定義された位置に記憶される。
【００４０】
本発明はＤＶＤ＋ＲＷを使用する実施の形態により主に説明されてきたが、予め定義された記録フォーマットを有するＢＤのような類似の実施の形態は、レイアウトデータの記憶を適用するために適している。さらに、予め定義された記録フォーマットのバージョンは、レイアウトファイルについて特定のフォーマット又は記憶位置を標準化する場合がある。記録キャリアに関して、光ディスクが記載されたが、光磁気ディスク又は磁気テープのような他のメディアを使用することができる。なお、この明細書では、単語「有する“comprising”」は、列挙された以外のエレメント又はステップの存在を排除するものではなく、エレメントに先行する単語“ａ”又は“ａｎ”は、複数のかかるエレメントの存在を排除するものではなく、参照符号は請求項の範囲を制限するものではなく、本発明は、ハードウェア及びソフトウェアの両者により実現される場合があり、幾つかの「手段」は、同じアイテムのハードウェアにより表現される場合がある。さらに、本発明の範囲は、実施の形態に限定されるものではなく、本発明は、先に記載されたそれぞれの新たな機能又は機能の組み合わせにあることに留意されたい。
【図面の簡単な説明】
【００４１】
【図１】図１ａは記録キャリアを示す図（上面図）であり、図１ｂは記録キャリアを示す図（断面図）である。
【図２】記録装置を示す図である。
【図３】再生用にコンテンツのテーブルのためのメニューを示す図である。
【図４】記録用にコンテンツのテーブルのためのメニューを示す図である。
【図５】プログラム特性を入力するためのメニューを示す図である。
【図６】ディスクを操作するためのメニューを示す図である。
【図７】記録可能なＤＶＤの記録領域の外観図を示す図である。
【図１ａ】
2007504598.tif 000003
【図１ｂ】
2007504598.tif 000004
【図２】
2007504598.tif 000005
【図３】
2007504598.tif 000006
【図４】
2007504598.tif 000007
【図５】
2007504598.tif 000008
【図６】
2007504598.tif 000009
【図７】
2007504598.tif 000010
【国際調査報告】
2007504598.tif 000011
2007504598.tif 000012
2007504598.tif 000013
2007504598.tif 000014